(57)【要約】【課題】ＴＶ受像機において、室内に夜間補助灯を設けることなく、夜間の室内を、単独で、就寝を阻害しない程度の明るさで照らすようにする。【解決手段】ＴＶ受像機１の電源の投入と連動して発光される高輝度のＬＥＤ６をＬＥＤ駆動回路７によって駆動し、夜間補助照明として用いる。ＬＥＤ駆動回路７は、ＬＥＤ６に流れる電流を制限するための第１抵抗Ｒ１及び第２抵抗Ｒ２と、第１抵抗Ｒ１及び第２抵抗Ｒ２に流れる電流をスイッチングする第１トランジスタＴＲ１及び第２トランジスタＴＲ２等によって構成され、ＴＶ視聴モードのとき、第１抵抗Ｒ１及び第２抵抗Ｒ２によってＬＥＤ６に流れる電流を制限する。夜間就寝モードにおいては、第１抵抗Ｒ１のみによってＬＥＤ６に流れる電流を制限する。【選択図】図２
2007243472.tif 000002
【特許請求の範囲】
【請求項１】
電源の投入と連動して発光されるＬＥＤ（Light Emitting Diode）と、このＬＥＤを駆動するＬＥＤ駆動回路と、このＬＥＤ駆動回路を制御する制御手段と、この制御手段に各種の指令を入力するための指令入力手段とを備えたテレビジョン受像機において、
前記ＬＥＤは、高輝度ＬＥＤであり、
前記ＬＥＤ駆動回路は、電源電圧と該高輝度ＬＥＤとの間に設けられた第１抵抗及び該高輝度ＬＥＤと接地との間に設けられた第２抵抗と、前記制御手段から出力される信号に応じて前記第２抵抗の終端から接地に流れる電流をスイッチングする第１スイッチング手段と、前記制御手段から出力される信号に応じて前記高輝度ＬＥＤから接地に流れる電流をスイッチングする第２スイッチング手段とを有し、
前記第２抵抗は、前記第１抵抗の２倍以上の抵抗値に設定され、
前記指令入力手段がユーザによって操作されることにより、テレビジョン放送を視聴するＴＶ視聴モードと、夜間においてテレビジョン放送を視聴しない夜間就寝モードとが適宜選択可能とされ、
前記制御手段は、
前記ＴＶ視聴モードが選択されているとき、前記第１スイッチング手段にハイレベル信号を出力して前記第２抵抗の終端を接地に落とすことにより、前記第１抵抗及び第２抵抗によって前記高輝度ＬＥＤに流れる電流を制限し、第１輝度で該高輝度ＬＥＤを発光させ、
前記夜間就寝モードが選択されているとき、前記第１スイッチング手段にローレベル信号を出力して前記第２抵抗の終端を接地から切断すると共に、前記第２スイッチング手段にハイレベル信号を出力して前記高輝度ＬＥＤを接地に直接落とすことにより、前記第１抵抗によって前記高輝度ＬＥＤに流れる電流を制限し、前記第１輝度より高い第２輝度で該高輝度ＬＥＤを発光させ、
前記高輝度ＬＥＤを夜間用補助照明として利用可能としたことを特徴とするテレビジョン放送受像機。
【請求項２】
電源の投入と連動して発光されるＬＥＤ（Light Emitting Diode）と、このＬＥＤを駆動するＬＥＤ駆動回路と、このＬＥＤ駆動回路を制御する制御手段とを備えた電気機器において、
前記ＬＥＤ駆動回路は、機器の動作時に前記制御手段から出力される信号に応じて、前記高輝度ＬＥＤに流れる電流を制限し、第１輝度で該高輝度ＬＥＤを発光させ、機器の非動作時に前記第１輝度より高い第２輝度で該高輝度ＬＥＤを発光させ、
前記高輝度ＬＥＤを夜間用補助照明として利用可能としたことを特徴とする電気機器。
【請求項３】
前記ＬＥＤ駆動回路は、前記ＬＥＤに流れる電流を制限するために、前記ＬＥＤと接地との間に設けられた抵抗と、前記制御手段から出力される信号に応じて前記抵抗に流れる電流をスイッチングするスイッチング手段とを有することを特徴とする請求項２に記載の電気機器。
【発明の詳細な説明】
【技術分野】
【０００１】
本発明は、電源の投入と連動して発光されるＬＥＤ（Light Emitting Diode）を備えたテレビジョン（以下、ＴＶとする）受像機及び電気機器に関するものである。
【背景技術】
【０００２】
従来から、照明装置の制御機能を備えたＴＶ受像機等の電気機器が種々検討されている。例えば、特許文献１及び特許文献２には、周囲の明るさに応じてＴＶの周囲を照明する照明装置が示されている。また、特許文献３には、周囲の明るさに応じて照明器具を使用できるように照明用コンセントを備えたＴＶ受像機が示されている。また、特許文献４には、テレビ電話装置が搭載されている車両の室内照度を自動調整する車両用照明制御装置が示されている。さらにまた、特許文献５には、暗くなると、室内の照明を点灯させるテレビドアホン装置が示されている。
【特許文献１】特開平１１−２２４５２９号公報
【特許文献２】実開昭６２−４２３８６号公報
【特許文献３】特開平１１−２３８５８０号公報
【特許文献４】特開２００５−３０６３３６号公報
【特許文献５】特開２００２−９４９７５号公報
【発明の開示】
【発明が解決しようとする課題】
【０００３】
ところで、寝室等においては、夜間に就寝を阻害しない程度の明るさで室内を照らす夜間補助灯が備えられている。しかしながら、上記いずれの特許文献に示された電気機器を夜間補助灯の制御に適用しようとしても、夜間補助灯が別途必要になるため、ユーザは余分な費用を負担しなければならなかった。
【０００４】
本発明は、上記課題を解決するためになされたものであり、室内に夜間補助灯を設けることなく、夜間の室内を、単独で、就寝を阻害しない程度の明るさで照らすことができるＴＶ受像機及び電気機器を提供することを目的とする。
【課題を解決するための手段】
【０００５】
上記目的を達成するために請求項１の発明は、電源の投入と連動して発光されるＬＥＤ（Light Emitting Diode）と、このＬＥＤを駆動するＬＥＤ駆動回路と、このＬＥＤ駆動回路を制御する制御手段と、この制御手段に各種の指令を入力するための指令入力手段とを備えたテレビジョン受像機において、ＬＥＤは、高輝度ＬＥＤであり、ＬＥＤ駆動回路は、電源電圧と該高輝度ＬＥＤとの間に設けられた第１抵抗及び該高輝度ＬＥＤと接地との間に設けられた第２抵抗と、制御手段から出力される信号に応じて第２抵抗の終端から接地に流れる電流をスイッチングする第１スイッチング手段と、制御手段から出力される信号に応じて高輝度ＬＥＤから接地に流れる電流をスイッチングする第２スイッチング手段とを有し、第２抵抗は、第１抵抗の２倍以上の抵抗値に設定され、指令入力手段がユーザによって操作されることにより、テレビジョン放送を視聴するＴＶ視聴モードと、夜間においてテレビジョン放送を視聴しない夜間就寝モードとが適宜選択可能とされ、制御手段は、ＴＶ視聴モードが選択されているとき、第１スイッチング手段にハイレベル信号を出力して第２抵抗の終端を接地に落とすことにより、第１抵抗及び第２抵抗によって高輝度ＬＥＤに流れる電流を制限し、第１輝度で該高輝度ＬＥＤを発光させ、夜間就寝モードが選択されているとき、第１スイッチング手段にローレベル信号を出力して第２抵抗の終端を接地から切断すると共に、第２スイッチング手段にハイレベル信号を出力して高輝度ＬＥＤを接地に直接落とすことにより、第１抵抗によって高輝度ＬＥＤに流れる電流を制限し、第１輝度より高い第２輝度で該高輝度ＬＥＤを発光させ、高輝度ＬＥＤを夜間用補助照明として利用可能としたものである。
【０００６】
請求項２の発明は、電源の投入と連動して発光されるＬＥＤ（Light Emitting Diode）と、このＬＥＤを駆動するＬＥＤ駆動回路と、このＬＥＤ駆動回路を制御する制御手段とを備えた電気機器において、ＬＥＤ駆動回路は、機器の動作時に制御手段から出力される信号に応じて、高輝度ＬＥＤに流れる電流を制限し、第１輝度で該高輝度ＬＥＤを発光させ、機器の非動作時に第１輝度より高い第２輝度で該高輝度ＬＥＤを発光させ、高輝度ＬＥＤを夜間用補助照明として利用可能としたものである。
【０００７】
請求項３の発明は、請求項２に記載の電気機器において、ＬＥＤ駆動回路は、ＬＥＤに流れる電流を制限するために、ＬＥＤと接地との間に設けられた抵抗と、制御手段から出力される信号に応じて抵抗に流れる電流をスイッチングするスイッチング手段とを有するものである。
【発明の効果】
【０００８】
請求項１の発明によれば、高輝度ＬＥＤを夜間補助照明として利用できるので、ユーザは、室内に夜間補助灯を別途設ける必要がなくなり、余分な費用の負担が不要となる。また、ＴＶ視聴モードにおいては、第１抵抗と第２抵抗によって高輝度ＬＥＤに流れる電流が制限されるため、高輝度ＬＥＤが過度に明るく発光することを防止できる。これにより、ユーザは、高輝度ＬＥＤの発光に煩わされることなく、集中してＴＶを視聴することができる。特に、第２抵抗が第１抵抗の２倍以上の抵抗値に設定されているので、ＴＶ視聴モードと夜間就寝モードにおける高輝度ＬＥＤによる照度の差を、十分に大きくすることができる。これにより、ＴＶ視聴モードにおいてはユーザに高輝度ＬＥＤの発光を必要以上に意識させることもなく、また、夜間就寝モードにおいては、夜間補助灯として十分な照度で部屋を照らすことができる。また、第１抵抗、第２抵抗、第１スイッチング手段及び第２スイッチング手段によってＬＥＤ駆動回路が構成されているので、安価かつ簡素な構成で、高輝度ＬＥＤの照度を変更することができる。
【０００９】
請求項２の発明によれば、ＬＥＤを夜間補助照明として利用できるので、ユーザは、室内に夜間補助灯を別途設ける必要がなくなり、余分な費用の負担が不要となる。また、ＬＥＤ駆動回路が制御部から出力される信号に応じてＬＥＤに流れる電流を制限するため、必要に応じてＬＥＤを夜間補助照明として利用可能となる。
【００１０】
請求項３の発明によれば、抵抗及びスイッチング手段によってＬＥＤ駆動回路が構成されているので、安価かつ簡素な構成で、ＬＥＤによる照度を変更することができる。
【発明を実施するための最良の形態】
【００１１】
本発明を実施するための一実施形態によるＴＶ受像機について図面を参照して説明する。図１はＴＶ受像機の内部構成を示している。ＴＶ受像機１は、アンテナ２を介してテレビジョン放送信号を受信するチューナ３と、チューナ３が受信した放送信号を処理して映像信号及び音声信号を出力する信号処理部４と、信号処理部４から出力された映像信号及び音声信号に基づいて映像及び音声を出力する映像音声出力部５と、ＴＶ受像機１の運転状態を示すＬＥＤ６と、ＬＥＤ６を駆動するためのＬＥＤ駆動回路７と、チューナ３、信号処理部４、映像音声出力部５及びＬＥＤ駆動回路７その他の装置各部の制御を司る制御部（制御手段）８と、ユーザが制御部８に各種の指令を入力するためのリモートコントローラ（指令入力手段）９等によって構成されている。
【００１２】
ＬＥＤ６は、ＴＶ受像機１の前面に設けられており、ＴＶ受像機１の電源の投入と連動して発光される。本実施形態においては、ＬＥＤ６として、いわゆる高輝度ＬＥＤが適用されており、夜間において補助照明として利用される。この高輝度ＬＥＤは、通常のＬＥＤと比較して、指向性が強く高輝度な光を出力することができるＬＥＤである。従って、夜間補助照明として十分な照度が得られる一方で、通常のＴＶ視聴時には、照度が高すぎるため、映像音声出力部５から出力される映像の視認に支障を来すこともある。そこで、ＴＶ受像機１は、後述するＬＥＤ駆動回路７によって通常のＴＶ視聴時にＬＥＤ６に流れる電流を制限して、ＴＶ放送の視聴に影響を及ぼさないように構成されている。
【００１３】
リモートコントローラ９は、ユーザによって操作され、その操作に応じた所定の赤外線信号を送信する。リモートコントローラ９から送信された赤外線信号は、ＴＶ受像機１の本体側に設けられている信号受信部１０によって受信される。信号受信部１０は、受信した赤外線信号を対応する電気信号に変換して、制御部８に転送する。
【００１４】
ユーザは、リモートコントローラ９を操作することにより、ＴＶ受像機１の受信チャンネルの他、動作モードを変更することができる。ＴＶ受像機１の動作モードには、例えば、ＴＶを視聴するＴＶ視聴モード、及び夜間においてＴＶを視聴しない夜間就寝モード等がある。これらの動作モードは、リモートコントローラ９を操作することにより映像音声出力部５に表示させたメニュー画面において選択することができる。このように、リモートコントローラ９を介して選択された動作モードに応じて、制御部８は、ＬＥＤ駆動回路７に所定の信号を出力し、ＬＥＤ駆動回路７は、制御部８から入力された信号に基づいて、ＬＥＤ６に流れる電流に適宜制限を加える。
【００１５】
図２は、ＬＥＤ駆動回路７の構成を示している。ＬＥＤ駆動回路７は、ＬＥＤ６に流れる電流を制限するための第１抵抗Ｒ１及び第２抵抗Ｒ２と、第１抵抗Ｒ１及び第２抵抗Ｒ２に流れる電流をスイッチングする第１トランジスタ（第１スイッチング手段）ＴＲ１及び第２トランジスタ（第２スイッチング手段）ＴＲ２等によって構成されている。第１抵抗Ｒ１ は、５Ｖの電源電圧とＬＥＤ６との間に設けられており、第２抵抗Ｒ２は、ＬＥＤ６と接地との間に設けられている。本実施形態においては、第１抵抗Ｒ１及び第２抵抗Ｒ２の抵抗値は、それぞれ２２０Ω及び４８０Ωに設定されている。
【００１６】
第１トランジスタＴＲ１のベースには、制御部８から電源オン信号が入力される。この電源オン信号は、ＴＶ受像機１の電源が投入され、かつ動作モードがＴＶ視聴モードであるとき、ハイレベルとされ、動作モードが夜間就寝モードであるとき、ローレベルとされる。また、第２トランジスタＴＲ２のベースには、制御部８から夜間就寝モード信号が入力される。この夜間就寝モード信号は、ＴＶ受像機１の電源が投入され、かつ動作モードが夜間就寝モードであるとき、ハイレベルとされる。
【００１７】
図３は、ＴＶ受像機１の動作を示すフローチャートである。図２及び図３を参照して、ＴＶ受像機１の動作について説明する。ＴＶ受像機１がスタンバイ状態から（＃１）、電源がオンされると（＃２においてＹＥＳ）、ＴＶ受像機１はＴＶ視聴モードとなり、制御部８は、ＬＥＤ駆動回路７の第１トランジスタＴＲ１のベースにハイレベルの電源オン信号を出力する。これにより、第１トランジスタＴＲ１がオンされ（＃３）、ＬＥＤ６には、第１抵抗Ｒ１及び第２抵抗Ｒ２によって制限された電流が流れ、ＬＥＤ６の輝度が大幅に制限される。このときのＬＥＤ６の輝度を第１輝度とする。
【００１８】
その後、ユーザによって夜間就寝モードが選択されると（＃４においてＹＥＳ）、制御部８は、ＬＥＤ駆動回路７の第１トランジスタＴＲ１のベースにローレベルの電源オン信号を出力する。これにより、第１トランジスタＴＲ１がオフされる（＃５）。次いで、制御部８は、ＬＥＤ駆動回路７の第２トランジスタＴＲ２のベースにハイレベルの夜間就寝モード信号を出力する。これにより、第２トランジスタＴＲ２がオンされ（＃６）、ＴＶ受像機１は、スタンバイ状態に移行する（＃７）。このとき、ＬＥＤ６には、第１抵抗Ｒ１のみによって制限された電流が流れ、ＬＥＤ６の輝度は、夜間補助灯に適した明るさとされる。このときのＬＥＤ６の輝度を第２輝度とする。ＬＥＤ６の輝度は、ＬＥＤ６に流れる電流に依存するところ、ＴＶ視聴モードにおいては、ＬＥＤ６に流れる電流は、直列に接続された第１抵抗Ｒ１及び第２抵抗Ｒ２によって制限されるのに対して、夜間就寝モードにおいては、ＬＥＤ６に流れる電流は、第１抵抗Ｒ１のみによって制限されることになるため、第２輝度は、第１輝度よりも高くなる。なお、ユーザの寝付きを妨げないという観点からみると、夜間就寝モードに入った当初は、制御部８が電源電圧を５Ｖよりも低くなるように設定し、徐々に電源電圧を５Ｖに近づけるように設定しても制御してもよい。
【００１９】
以上のように、本実施形態のＴＶ受像機１によれば、高輝度のＬＥＤ６を夜間補助照明として利用できるので、ユーザは、室内に夜間補助灯を別途設ける必要がなくなり、余分な費用の負担が不要となる。また、ＴＶ視聴モードにおいては、第１抵抗Ｒ１と第２抵抗Ｒ２によってＬＥＤ６に流れる電流が制限されるため、高輝度のＬＥＤ６が過度に明るく発光することを防止できる。これにより、ユーザは、ＬＥＤ６の発光に煩わされることなく、集中してＴＶ放送を視聴することができる。特に、第２抵抗Ｒ２が第１抵抗Ｒ１の２倍以上の抵抗値に設定されているので、ＴＶ視聴モードと夜間就寝モードにおけるＬＥＤ６の照度の差を、十分に大きくすることができる。これにより、ＴＶ視聴時のユーザにＬＥＤ６の発光を必要以上に意識させることもなく、また、夜間就寝モードでは、夜間補助灯として必要十分な照度で部屋を照らすことができる。また、第１抵抗Ｒ１、第２抵抗Ｒ２、第１トランジスタＴＲ１及び第２トランジスタＴＲ２によってＬＥＤ駆動回路７が構成されているので、安価かつ簡素な構成で、ＬＥＤ６による照度を変更することができる。
【００２０】
なお、本発明は上記実施形態の構成に限られることなく、少なくとも制御部８から出力される信号に応じて、ＬＥＤ６に流れる電流を制限するＬＥＤ駆動回路７を備え、高輝度のＬＥＤ６を夜間用補助照明として利用可能に構成されていればよい。また、本発明は種々の変形が可能であり、例えば、本発明はＴＶ受像機１に限られることなく電源の投入と連動して発光されるＬＥＤを備えた電気機器に広く適用可能である。また、ＬＥＤ駆動回路７の回路構成は、図２に示したものに限られることなく、抵抗及びトランジスタ等のスイッチング素子が適宜配設された回路であってもよい。
【図面の簡単な説明】
【００２１】
【図１】本発明の一実施形態によるテレビジョン受像機の構成を示すブロック図。
【図２】同テレビジョン受像機のＬＥＤ駆動回路の構成を示す回路図。
【図３】同テレビジョン受像機の動作を示すフローチャート。
【符号の説明】
【００２２】
１    テレビジョン受像機
６    ＬＥＤ（高輝度ＬＥＤ）
７    ＬＥＤ駆動回路
８    制御部（制御手段）
９    リモートコントローラ（指令入力手段）
Ｒ１    第１抵抗
Ｒ２    第２抵抗
ＴＲ１    第１トランジスタ（第１スイッチング手段）
ＴＲ２    第２トランジスタ（第２スイッチング手段）
【図１】
2007243472.tif 000003
【図２】
2007243472.tif 000004
【図３】
2007243472.tif 000005